(57)【特許請求の範囲】
【請求項１】
缶本体と缶蓋とからなり、上記缶本体は、その上端部外周に縁巻部を形成し、該縁巻部下側には螺合部を内向きに突設し、該螺合部の下側には所要間隔をおき缶本体上部を内側に屈曲して環状縁を形成してあり、上記缶蓋は、その上側に把持部を突設し、蓋周側下端に内向きのカール部を形成し、蓋周側の外面には上記缶本体の螺合部に係合する螺合部を形成してあり、両螺合部の係合時に缶蓋のカール部下側が環状縁に密着し、缶蓋を裏返して両螺合部を係合した場合は蓋周側の上部が環状縁に密着するようにした包装用缶。
【請求項２】
缶本体と缶蓋とからなり、上記缶本体は、その上端にカール部を形成した周縁部を内側に屈曲すると共に上記カール部の内周に螺合部を内向きに突設し、該螺合部の下側には所要間隔をおき缶本体上部を内側に屈曲して環状縁を形成してあり、上記缶蓋は、その上側に把持部を突設し、蓋周側下端に内向きのカール部を形成し、蓋周側の外面には上記缶本体の螺合部に係合する螺合部を形成してあり、両螺合部の係合時に缶蓋のカール部下側が環状縁に密着し、缶蓋を裏返して両螺合部を係合した場合は蓋周側の上部が環状縁に密着するようにした包装用缶。
【請求項３】
缶本体と缶蓋とからなり、上記缶本体は、その上端部外周に縁巻部を形成し、該縁巻部下側には螺合部を内向きに突設し、該螺合部の下側には所要間隔をおき缶本体上部を内側に屈曲して環状縁を形成してあり、上記缶蓋は、その上側に把持部を設け、該把持部の中央部を窪めて裏側に摘み部を突設し、蓋周側下端に外向きのカール部を形成し、該カール部の外側には上記缶本体の螺合部に係合する螺合部を形成してあり、両螺合部の係合時に缶蓋のカール部下側が環状縁に密着し、缶蓋を裏返して両螺合部を係合した場合はカール部上側が環状縁に密着するようにした包装用缶。
【請求項４】
缶本体と缶蓋とからなり、上記缶本体は、その上端にカール部を形成した周縁部を内側に屈曲すると共に上記カール部の内周に螺合部を内向きに突設し、該螺合部の下側には所要間隔をおき缶本体上部を内側に屈曲して環状縁を形成してあり、上記缶蓋は、その上側に把持部を設け、該把持部の中央部を窪めて裏側に摘み部を突設し、蓋周側下端に外向きのカール部を形成し、該カール部の外側には上記缶本体の螺合部に係合する螺合部を形成してあり、両螺合部の係合時に缶蓋のカール部下側が環状縁に密着し、缶蓋を裏返して両螺合部を係合した場合はカール部上側が環状縁に密着するようにした包装用缶。
【発明の詳細な説明】
【０００１】
【産業上の技術分野】
本発明は防湿性を必要とする商品の包装用缶に関する。
【０００２】
【従来の技術】
従来この種包装用缶、例えば浴剤、洗剤又は食品等の包装用缶においては、外蓋とは別にプラスチック製の中蓋を被せたり、缶口にアルミ箔を加熱接着したもの等が使用されている。
【０００３】
【発明が解決しようとする課題】
しかし、上記従来の包装用缶のように外蓋とは別にプラスチック製の中蓋を使用するとコスト高になり、不経済であると共に、内容物を取り出す度に外蓋と中蓋を着脱することは煩わしかった。また缶口にアルミ箔を加熱接着するには別に作業工程を必要とすると共に、一度開封後は防湿性にかけるものであった。
そこで、本発明では中蓋を使用しないことによりコストを低減できると共に容器の開閉に便利で、内容物を取出し易いようにし、また一度開封した後も防湿性に優れているようにしたものである。
【０００４】
【課題を解決するための手段】
上記目的を達成するために、本発明に係る包装用缶は、缶本体と缶蓋とからなり、上記缶本体は、その上端部外周に縁巻部を形成し、該縁巻部下側には螺合部を内向きに突設し、該螺合部の下側には所要間隔をおいて缶本体上部を内側に屈曲して環状縁を形成してあり、上記缶蓋は、その上側に把持部を突設し、蓋周側下端に内向きのカール部を形成し、蓋周側の外面には上記缶本体の螺合部に係合する螺合部を形成してあり、両螺合部の係合時に缶蓋のカール部下側が環状縁に密着し、缶蓋を裏返して両螺合部を係合した場合は蓋周側の上部が環状縁に密着するようにした。
また、上記缶蓋は、その上側に把持部を設け、該把持部の中央部を窪めて裏側に摘み部を突設し、蓋周側下端に外向きのカール部を形成し、該カール部の外側には上記缶本体の螺合部に係合する螺合部を形成してあり、両螺合部の係合時に缶蓋のカール部下側が環状縁に密着し、缶蓋を裏返して両螺合部を係合した場合はカール部上側が環状縁に密着するようにすることもできる。
また、上記缶本体は、その上端にカール部を形成した周縁を内側に屈曲すると共に上記カール部の内周に螺合部を内向きに突設し、該螺合部の下側には所要間隔をおいて缶本体上部を内側に屈曲して環状縁を形成することもできる。而して、この缶本体は上記缶蓋がいずれの場合にも実施できる．
【０００５】
【発明の実施の形態】
【実施例１】
図１乃至図５に示すように、缶本体１と缶蓋２とからなり、上記缶本体１は円形にして、その上端部外周に縁巻部３を形成してあり、該縁巻部３下側には数個の突条からなる螺合部４を内向きに設けてある。上記螺合部４の下側には所要の間隔５をおいて缶本体上部を内側に屈曲して環状縁６を形成してある。
上記缶蓋２はその上側に円形状の把持部７を設け、該把持部の中央部を窪めて把持部を二分するようにして、計量カップを載せ得る載置部８を形成すると共に、缶蓋２の裏側に摘み部９を突設してある。10は蓋上面に設けた放射状の補強部、11は把持部周側に設けた滑り止めを示す。12は蓋周側部であって、その下端部外周にカール部13を形成し、該カール部の外周には上記缶本体の螺合部４に嵌合する数個の突条からなる螺合部14を形成してある。而して、缶蓋カール部の螺合部14が間隔５内に入り缶本体の螺合部４に係合すると同時に、缶蓋のカール部の下側15が環状縁６上側に密着するようにした。また、上記環状縁６は内側に水平に形成したが、図６及び図７に示すように断面弧状に形成してもよい。
而して、図５に示すように、缶蓋２を裏返して両螺合部４、14を係合すると、カール部の上側16が環状縁６に密着するように形成した。
上記螺合部４、14は共に突条をなしているが、両螺合部が係合するためには、両方を突条に形成するか、一方の螺合部を突条に形成し、他方の螺合部を突起状に形成してもよい。
【０００６】
【実施例２】
図８乃至図１０に示すように、缶本体21と缶蓋22とからなり、上記缶本体21はその上端にカール部23を形成した周縁を内側に屈曲すると共に上記カール部の内周に数個の突条の螺合部24を設けてある。上記螺合部24の下側には所要の間隔25をおいて缶本体を内側に屈曲して環状縁26を形成してある。
また、上記缶蓋22は上例と同様に構成してある。即ち、缶蓋22の上側に円形状の把持部27を設け、該把持部の中央部を窪めて把持部を二分するような載置部28を形成すると共に、缶蓋22の裏側に摘み部29を突設してある。30は缶蓋上面に設けた放射状の補強部、31は把持部周側に設けた滑り止めを示す。32は蓋周側部であって、その下端部外周にカール部33を形成し、該カール部の外周には上記缶本体の螺合部24に嵌合する突条からなる螺合部34を形成してある。而して、缶蓋カール部の螺合部34が間隔部35内に入り缶本体の螺合部24に係合すると同時に、缶蓋のカール部下側35が環状縁36上側に密着するようにした。而して、図10に示すように、缶蓋22を裏返して両螺合部24、34を係合すると、カール部上側36が環状縁26に密着するように形成した。
【０００７】
【実施例３】
図１１乃至図１６に示すように、缶本体１と缶蓋42とからなり、上記缶本体１は円形にして、その上端部外周に縁巻部３を形成してあり、該縁巻部３下側には数個の突条からなる螺合部４を内向きに設けてある。上記螺合部４の下側には所要の間隔５をおいて缶本体上部を内側に屈曲して環状縁６を形成してある。
上記缶蓋42は、その上側に小判形状、長円形状の把持部47を設け、その裏側に計量カップｃを入れ得るように形成した。48は把持部両側の内面に突設したカップ係止縁を示す。49は蓋周側であって、その下端部内周にカール部43を形成し、蓋周側の外面には上記缶本体の螺合部４に嵌合する数個の突条からなる螺合部44を形成してある。而して、缶蓋の螺合部44が間隔５内に入り缶本体の螺合部４に係合すると同時に、缶蓋のカール部の下側45がが環状縁６上側に密着するようにした。
而して、図１６に示すように、缶蓋42を裏返して両螺合部４、44を係合すると蓋周側の上部46が環状縁６に密着するように形成した。
上記螺合部44、４は共に突条をなしているが、両螺合部が係合するためには、両方を突条に形成するか、一方の螺合部を突条に形成し、他方の螺合部を突起状に形成してもよい。
【０００８】
【実施例４】
図１７乃至図２０に示すように、缶本体21と缶蓋42とからなり、上記缶本体21はその上端にカール部23を形成した周縁を内側に屈曲すると共に上記カール部の内周に数個の突条の螺合部24を設けてある。上記螺合部24の下側には所要の間隔25をおいて缶本体を内側に屈曲して環状縁26を形成してある。
また、上記缶蓋42は上記実施例３と同様に構成してある。即ち、缶蓋42の上側に小判形状の把持部47を設け、その内側に計量カップｃを入れられるように形成した．48は該把持部両側の内部に形成したカップ係止縁をしめす。49は蓋周側であって、その下端部内周にカール部43を形成し蓋周側の外面には上記缶本体の螺合部24に嵌合する突条からなる螺合部44を形成してある。而して、缶蓋の螺合部44が間隔部25内に入り缶本体の螺合部24に係合すると同時に、缶蓋のカール部下側45が環状縁26上側に密着するようにした。而して、図１８，２０に示すように、缶蓋42を裏返して両螺合部24、44を係合すると、蓋周側の上部46ガ環状縁26に密着するように形成した。
【０００９】
【発明の効果】
本発明では、缶本体の螺合部と缶蓋の螺合部とを係合することにより、缶蓋のカール部の周囲が環状縁に密着するので、一度開封した後も防湿性をよく保持することができる。また、缶蓋はその把持部を持って回転出来るので開閉が容易であり、内容物を取出し易い。また中蓋を用いないので、コストを低減できる。なお、缶蓋上側に載置部を形成したり，把持部の内側にカップ係止縁を設けると、開封前計量スプーン等を入れることができると共に、缶蓋を裏返しにした状態でも載せることができる。
また、缶蓋を裏返した状態でも同様に両螺合部を係合することができ、その際は摘み部を持ったり、缶蓋周側の内面に手を当て回転して開閉できる。さらに、缶蓋を裏返した状態で搬送すると嵩張らない。
本発明に係る包装用缶は、防湿性と開閉容易性を要求される浴剤、洗剤の容器として、また、お茶、コーヒー、焼のり等の容器としても好適である。
【図面の簡単な説明】
【図１】包装用缶の側面図である。
【図２】同上平面図である。
【図３】包装用缶の上部断面図である。
【図４】一部拡大断面である。
【図５】缶蓋を裏返した状態の同上断面図である。
【図６】環状縁を弧状に形成した場合の同上断面図である。
【図７】缶蓋を裏返した状態の同上断面図である。
【図８】実施例２における缶の上部断面図である。
【図９】一部拡大断面図である。
【図１０】缶蓋を裏返した状態の同上断面図である。
【図１１】実施例３における包装用缶の側面図である。
【図１２】同上平面図である。
【図１３】上部断面図である。
【図１４】缶蓋を裏返した状態の同上断面図である。
【図１５】一部拡大断面である。
【図１６】缶蓋を裏返した状態の同上断面図である。
【図１７】実施例４における缶上部の断面図である。
【図１８】缶蓋を裏返した状態の同上断面図である。
【図１９】一部拡大断面図である。
【図２０】缶蓋を裏返した状態の同上断面図である。
【符号の説明】
１  缶本体
２  缶蓋
３  縁巻部
４  螺合部
５  間隔
６  環状縁
７  把持部
８  載置部
９  摘み部
12  蓋周側
13  カール部
14  螺合部
15  カール部下側
16  カール部上側
21  缶本体
22  缶蓋
23  カール部
24  螺合部
25  間隔
26  環状縁
27  把持部
29  摘み部
31  滑り止め
32  蓋周側
33  カール部
34  螺合部
35  カール部下側
36  カール部上側
42  缶蓋
43  カール部
44  螺合部
45  カール部下側
46  蓋周側上部
47  把持部
48  カップ係止縁
49  蓋周側
【図１】
0004184005.tif 000002
【図２】
0004184005.tif 000003
【図３】
0004184005.tif 000004
【図４】
0004184005.tif 000005
【図５】
0004184005.tif 000006
【図６】
0004184005.tif 000007
【図７】
0004184005.tif 000008
【図８】
0004184005.tif 000009
【図９】
0004184005.tif 000010
【図１０】
0004184005.tif 000011
【図１１】
0004184005.tif 000012
【図１２】
0004184005.tif 000013
【図１３】
0004184005.tif 000014
【図１４】
0004184005.tif 000015
【図１５】
0004184005.tif 000016
【図１６】
0004184005.tif 000017
【図１７】
0004184005.tif 000018
【図１８】
0004184005.tif 000019
【図１９】
0004184005.tif 000020
【図２０】
0004184005.tif 000021